(57)【要約】【課題】バネ部材の姿勢を安定させることによりバネ圧安定化を図った記録テープカートリッジを提供することを課題とする。【解決手段】記録テープカートリッジ１０は、リール２０に巻かれた記録テープＴの端部に取付けられたリーダーピン３０と、リーダーピン３０を付勢することによりリーダーピン３０に引出抵抗を付与するバネ部材３８と、を備えている。バネ部材３８は、本体部１０６と、本体部１０６の上端部１０６Ｕ及び下端部１０６Ｌからそれぞれ延び出す作用部１０８Ｕ、１０８Ｌとを有する。記録テープカートリッジの下ケース１６の内壁には、下端部１０６Ｌが圧入される下保持部３７Ｌが形成されている。【選択図】図５
2009245524.tif 000002
【特許請求の範囲】
【請求項１】
記録テープが巻装された単一のリールを回転可能に収容するケースと、
前記記録テープの端部に取付けられ、ドライブ装置の引出手段によって引き出されるリーダー部材と、
前記リーダー部材を付勢することにより前記リーダー部材に引出抵抗を付与するバネ部材と、
を備え、
前記ケースの内壁には、前記バネ部材が圧入されることにより前記バネ部材を保持している保持部が形成されていることを特徴とする記録テープカートリッジ。
【請求項２】
前記バネ部材が、本体部と、前記本体部から延び出して前記リーダー部材に当接して付勢するアーム状の作用部と、で構成され、
前記本体部には、前記本体部の一部が折り曲げられた板バネ部が形成され、
前記保持部には、前記本体部の一部が圧入される断面スリット状の凹部が形成され、
前記板バネ部が前記凹部の内壁に当接して凹部幅を広げるように付勢していることを特徴とする請求項１に記載の記録テープカートリッジ。
【請求項３】
前記バネ部材は、本体部と、
前記本体部に連続する凸部と、
前記凸部に連続して延び出し、前記リーダー部材に当接して付勢するアーム状の作用部と、
で構成され、
前記保持部には、前記本体部の一部が圧入される断面スリット状の凹部が形成され、
前記凸部が前記凹部に圧入されることにより前記凸部が前記凹部の内壁に当接して凹部幅を広げるように付勢していることを特徴とする請求項１に記載の記録テープカートリッジ。
【請求項４】
前記バネ部材は、平板状の本体部と、
前記本体部から延び出し、前記リーダー部材に当接して付勢する作用部と、
で構成され、
前記保持部には、前記本体部の一部が圧入される断面スリット状の凹部が形成され、
前記本体部には本体部厚み方向に凸である凸部が形成され、
前記凸部が前記凹部に圧入されることにより前記凸部が前記凹部の内壁に当接して凹部幅を広げるように付勢していることを特徴とする請求項１に記載の記録テープカートリッジ。
【発明の詳細な説明】
【技術分野】
【０００１】
本発明は、記録テープが巻装された単一のリールをケース内に回転可能に収容した記録テープカートリッジに関する。
【背景技術】
【０００２】
従来から、コンピューター等のデータ記録再生媒体として使用されている記録テープ（磁気テープ）を単一のリールに巻装し、そのリールをケース内に収容してなる記録テープカートリッジ（磁気テープカートリッジ）が知られている。この記録テープの先端には、リーダーブロックやリーダーピン、リーダーテープといったリーダー部材が設けられており、そのリーダー部材をドライブ装置側に設けられた引出手段が記録テープカートリッジから引き出し、それに固着された記録テープをドライブ装置側の巻取リールに巻装させるようになっている。
【０００３】
また、このような記録テープカートリッジには、リーダー部材を記録テープカートリッジ内に収容した状態を維持するとともに上記の引き出しを容易に行えるように、リーダー部材をリーダー部材の収容位置に向けて付勢するバネ部材が設けられている（例えば特許文献１参照）。
【特許文献１】特開２００６−１８８８５号公報
【発明の開示】
【発明が解決しようとする課題】
【０００４】
ところで、このバネ部材は、リーダー部材におけるテープ幅方向の両端部を付勢する一対のアーム状の作用部を有する板バネで構成されることが多く、通常、ケースに形成された被装着部に差し込まれて装着される。このため、例えば上下ケースの微小な変形や被装着部のクリアランスのばらつきが生じた場合にバネ部材の姿勢が安定せず、バネ圧を安定させ難いという問題があった。
本発明は、上記事実を考慮して、バネ部材の姿勢を安定させることによりバネ圧安定化を図った記録テープカートリッジを提供することを課題とする。
【課題を解決するための手段】
【０００５】
請求項１に記載の発明は、記録テープが巻装された単一のリールを回転可能に収容するケースと、前記記録テープの端部に取付けられ、ドライブ装置の引出手段によって引き出されるリーダー部材と、前記リーダー部材を付勢することにより前記リーダー部材に引出抵抗を付与するバネ部材と、を備え、前記ケースの内壁には、前記バネ部材が圧入されることにより前記バネ部材を保持している保持部が形成されていることを特徴とする。
【０００６】
リーダー部材は、例えばリーダーピンであるが、リーダーブロック等の他の部材とすることも可能である。
請求項１に記載の発明では、上記のバネ部材が保持部に圧入されることにより押圧保持されている。従って、上下ケースの微小な変形やクリアランスのばらつきが生じていても、ケースに装着した際にバネ部材の姿勢がばらつかずに安定するので、バネ圧の安定化を図ることができる。
【０００７】
請求項２に記載の発明は、前記バネ部材が、本体部と、前記本体部から延び出して前記リーダー部材に当接して付勢するアーム状の作用部と、で構成され、前記本体部には、前記本体部の一部が折り曲げられた板バネ部が形成され、前記保持部には、前記本体部の一部が圧入される断面スリット状の凹部が形成され、前記板バネ部が前記凹部の内壁に当接して凹部幅を広げるように付勢していることを特徴とする。
【０００８】
請求項２に記載の発明では、本体部を構成する板バネ部が凹部の内壁に当接して凹部幅を広げるように付勢しているので、より強い力でバネ部材が保持部に保持される
【０００９】
請求項３に記載の発明は、前記バネ部材は、本体部と、前記本体部に連続する凸部と、前記凸部に連続して延び出し、前記リーダー部材に当接して付勢するアーム状の作用部と、で構成され、前記保持部には、前記本体部の一部が圧入される断面スリット状の凹部が形成され、前記凸部が前記凹部に圧入されることにより前記凸部が前記凹部の内壁に当接して凹部幅を広げるように付勢していることを特徴とする。
請求項３に記載の発明では、作用部を形成する際に上記の凸部も形成することができる。
【００１０】
請求項４に記載の発明は、前記バネ部材は、平板状の本体部と、前記本体部から延び出し、前記リーダー部材に当接して付勢する作用部と、で構成され、前記保持部には、前記本体部の一部が圧入される断面スリット状の凹部が形成され、前記本体部には本体部厚み方向に凸である凸部が形成され、前記凸部が前記凹部に圧入されることにより前記凸部が前記凹部の内壁に当接して凹部幅を広げるように付勢していることを特徴とする。
請求項４に記載の発明では、本体部を形成する際に上記の凸部も形成することができる。
【発明の効果】
【００１１】
本発明によれば、バネ部材の姿勢を安定させることによりバネ圧安定化を図った記録テープカートリッジとすることができる。
【発明を実施するための最良の形態】
【００１２】
以下、実施形態を挙げ、本発明の実施の形態について説明する。なお、第２実施形態以下では、既に説明した構成要素と同様のものには同じ符号を付して、その説明を省略する。
【００１３】
［第１実施形態］
まず、第１実施形態について説明する。なお、説明の便宜上、図１において、本実施形態で説明する記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。まず最初に、記録テープカートリッジ１０について説明する。
【００１４】
（記録テープカートリッジの全体構成）
図１〜図３で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やビス止め等によって接合されて構成されている。
【００１５】
すなわち、例えば上ケース１４及び下ケース１６にはビスボス１５がそれぞれ各コーナー部近傍に形成されており、下ケース１６の下面側から、そのビスボス１５に図示しないビスが螺合されることにより、ケース１２が組み立てられるようになっている。そして、ケース１２の内部には、リール２０が１つだけ回転可能に収容されている。
【００１６】
このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００１７】
また、リールハブ２２の底壁（底部）２８の下面（外面）には、リールギア４４が環状に形成されており、下ケース１６の中央部には、そのリールギア４４を外部に露出するためのギア開口４０が穿設されている。このギア開口４０から露出されるリールギア４４が、ドライブ装置の回転シャフト（図示省略）に形成された駆動ギア（図示省略）に噛合されて回転駆動されることにより、ケース１２内において、リール２０がケース１２に対して相対回転可能とされる。
【００１８】
また、底壁２８の下面におけるリールギア４４の径方向内側には、磁性材料でできた環状金属板であるリールプレート４６が、インサート成形により、同軸的かつ一体的に固着されており、ドライブ装置の回転シャフトに設けられた環状のマグネット（図示省略）の磁力によって吸着・保持されるようになっている。更に、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００１９】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。リーダーピン３０の記録テープＴの幅方向端部より突出した両端部には、環状溝３２が形成されており、この環状溝３２が引出部材のフック等に係止される。これにより、記録テープＴを引き出す際に、フック等が記録テープＴに接触して傷付けることがない構成である。
【００２０】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４Ｌ、３４Ｕは、その開放側からピン保持部３６内に出入可能とされている。
【００２１】
また、ピン保持部３６の近傍には、バネ部材３８が固定配置されるようになっており、このバネ部材３８を構成する２本の作用部１０８Ｌ、１０８Ｕの先端部がリーダーピン３０の上下両端部３４Ｌ、３４Ｕにそれぞれ係合してリーダーピン３０をピン保持部３６に保持する（すなわち引出抵抗を付与する）ようになっている。なお、リーダーピン３０がピン保持部３６に出入する際には、作用部１０８Ｌ、１０８Ｕは適宜弾性変形してリーダーピン３０の移動を許容する構成である。
【００２２】
また、その開口１８は、ドア５０によって開閉される。このドア５０は、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２３】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００２４】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００２５】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００２６】
また、図２、図３で示すように、ケース１２の左後部には、記録テープＴへの記録可・不可が設定されるライトプロテクト７０が左右方向にスライド可能に設けられており、ケース１２の後壁１２Ｄには、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００２７】
また更に、下ケース１６には、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようになっている。なお、この突部７４は下ケース１６の下面から突出することはない。また、図２で示すように、ケース１２の右後部には、記録容量、記録形式等の各種情報が記憶されたメモリーボードＭが所定の傾斜角度で配置されるようになっている。
【００２８】
また、図２、図３で示すように、リールハブ２２の底壁２８の上面周縁には、係合ギア４８が所定の間隙を隔てて（等間隔に）複数（例えば１２０度間隔で３個）立設されており、その係合ギア４８の間で、リールギア４４上となる所定位置には、貫通孔２８Ａが複数（この場合は１２０度間隔で３個）穿設されている。そして、そのリールハブ２２の内部には、樹脂材で成形された円板状の制動部材８０が挿設される。
【００２９】
制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。
【００３０】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルスプリング９８の付勢力により、制動部材８０は、常時下方に向かって付勢される。
【００３１】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。
【００３２】
また、リールハブ２２の内部で、かつ制動部材８０の下側（底壁２８と制動部材８０との間）には、樹脂材で成形された平面視略正三角形状の解除部材９０が挿設される。解除部材９０には、適宜位置に所定の形状とされた貫通孔９２が複数（図示のものは六角形状とされて３つ）穿設されており、解除部材９０の軽量化が図られている。そして、解除部材９０の下面で、かつ各頂点部分には、貫通孔２８Ａに挿通されて底壁２８の下面からリールギア４４上に所定高さ突出する脚部９４が突設されている。
【００３３】
また、解除部材９０の上面９０Ａ中央には平面状の支持凸部９６が形成されており、制動部材８０の下面８０Ａ中央に突設された略半球状の解除突起８２が当接するようになっている（図２、図３参照）。これにより、制動部材８０と解除部材９０との接触面積が低減され、使用時（リール２０の回転時）における摺動抵抗が軽減される構成である。なお、制動部材８０の材質としては、例えばポリアセタール（ＰＯＭ）が用いられ、解除部材９０の材質としては、例えばポリブチレンテレフタレート（ＰＢＴ）が用いられる。
【００３４】
（バネ部材及びその保持構造）
次に、バネ部材３８及びバネ部材３８の保持構造について詳細に説明する。バネ部材３８は、リーダーピン３０を付勢することによりリーダーピン３０に引出抵抗を付与する部材として設けられている。
【００３５】
本実施形態では、このバネ部材３８は、金属製（例えばステンレス鋼製）である。上ケース１４の内壁側にはバネ部材３８の上端部を保持する上保持部３７Ｕ（図２、図３参照）が形成され、下ケース１６の内壁側にもバネ部材３８の下端部を保持する下保持部３７Ｌ（図２、図３参照）が形成されている。上保持部３７Ｕと下保持部３７Ｌとは面対象の同形状にされている。
【００３６】
バネ部材３８は、平板材を切断加工及び曲げ加工して形成されたものであり、本体部１０６と、本体部１０６の上下両端部から開口１８に向かって本体部１０６と一体的にそれぞれ所定長さアーム状に延設された作用部１０８Ｌ、１０８Ｕと、で構成されている。
【００３７】
２本の作用部１０８Ｌ、１０８Ｕは互いに同形状であり、先端が内側（後方側）に向かって平面視略「く」字状に屈曲されて、それぞれリーダーピン３０の上端部３４Ｕ及び下端部３４Ｌに当接するようになっている。
【００３８】
つまり、バネ部材３８の作用部１０８Ｌ、１０８Ｕが、それぞれ、リーダーピン３０の下端部３４Ｌ及び上端部３４Ｕを所定の圧力で押圧する（押さえる）ことにより、リーダーピン３０がピン保持部３６から脱落しないように保持する構成になっている。すなわち、リーダーピン３０をピン保持部３６から引き出したりピン保持部３６に保持させたりするときには、作用部１０８Ｌ、１０８Ｕが適宜弾性変形してリーダーピン３０の移動を許容する板バネ構造になっている。
【００３９】
図４に示すように、本体部１０６には、作用部１０８Ｌ、１０８Ｕとは反対側の平板材部分を作用部側へ曲げてなる板バネ部１０７が形成されており、本体部１０６は、作用部１０８Ｌ、１０８Ｕに連続する基部１０５と、この板バネ部１０７とで構成される。
【００４０】
このような構造のバネ部材３８を製造する際、フープ材に加工を行った後に切断することにより連続して製造することが可能である。
【００４１】
図２、図３、図５に示すように、下保持部３７Ｌには、本体部１０６の下端部１０６Ｌが圧入される細長状で断面スリット状とされた下凹部３９Ｌが形成されている。下凹部３９Ｌは下保持部３７Ｌに上下方向の切り込みを形成した形状となっている。下凹部３９Ｌの切欠幅Ｄ（図５参照）は、基部１０５と板バネ部１０７とを近づける方向に押圧した状態で下端部１０６Ｌが下凹部３９Ｌに圧入されるように、本体部１０６に合わせられた幅とされている。また、下凹部３９Ｌのピン保持部３６側には、作用部１０８Ｌの配置を妨げないように開口部４１Ｌが形成されている。
【００４２】
上述したように上保持部３７Ｕは下保持部３７Ｌと面対象の同形状とされており、図２、図３に示すように、上保持部３７Ｕにも、本体部１０６の上端部１０６Ｕが圧入される細長状で断面スリット状とされた上凹部３９Ｕが形成されている。
【００４３】
また、図５に示すように、下保持部３７Ｌには、作用部１０８Ｌが配置される細長状の作用部用凹部４３Ｌと、作用部１０８Ｌの曲げ中心部としての役割を果たす支柱部４５Ｌと、が形成されている。リーダーピン３０がピン保持部３６に出入する際には、作用部１０８Ｌは支柱部４５Ｌを支点として適宜弾性変形してリーダーピン３０の移動を許容する構成にされている。上保持部３７Ｕも同様の構成にされている。
【００４４】
（作用、効果）
以上のような構成の記録テープカートリッジ１０において、次にその作用、効果について説明する。不使用時（保管時や運搬時等）において、記録テープカートリッジ１０の開口１８は、ドア５０によって閉塞されている。そして、圧縮コイルスプリング９８の付勢力によって、制動部材８０が回転ロック位置に位置して制動ギア８４を係合ギア４８に噛合させている。このため、リール２０は、ケース１２に対する回転が阻止されている。
【００４５】
一方、記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って溝部６４内を後側へ摺動し、開口１８を開放する。
【００４６】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に正確に位置決めされ、ドア５０のそれ以上の摺動（後方への移動）が規制される。
【００４７】
また、この記録テープカートリッジ１０の下降動作によって、回転シャフトが相対的にギア開口４０から進入し、駆動ギアをリールギア４４に噛合させる。すると、その駆動ギアがリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００４８】
そして、駆動ギアとリールギア４４とが完全に噛合した状態で、リールプレート４６が、駆動ギアの内側に設けられた環状のマグネットの磁力によって吸着・保持されることにより、リール２０は、駆動ギアに対するリールギア４４の噛合が維持されつつ、ケース１２内で、そのケース１２に対して相対回転可能となるロック解除状態とされる。
【００４９】
一方、開放された開口１８からは、ドライブ装置側に設けられた引出部材がケース１２内に進入し、ピン保持部３６に位置決め保持されたリーダーピン３０を把持して引き出す。なお、このとき、記録テープカートリッジ１０はドライブ装置内において正確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００５０】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００５１】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されて、リーダーピン３０がピン保持部３６に保持されると、記録テープカートリッジ１０は所定高さ上昇し、位置決め部材が位置決め用の穴部から抜き出されるとともに、回転シャフトがギア開口４０から抜き出され、リールギア４４に対する駆動ギアの噛合が解除される。
【００５２】
すると、圧縮コイルスプリング９８の付勢力により、制動部材８０及び解除部材９０が下方に向かって押圧され、脚部９４が貫通孔２８Ａに挿通されて底壁２８の下面からリールギア４４上に所定高さ突出するとともに、制動ギア８４が係合ギア４８に噛合する。これにより、リール２０は、再度ケース１２内での相対回転が阻止された回転ロック状態となり、その後、記録テープカートリッジ１０は、図示しないイジェクト機構によって矢印Ａ方向とは反対方向に移動される。
【００５３】
すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００５４】
このような記録テープカートリッジ１０を組み立てる際にバネ部材３８を下保持部３７Ｌ、及び、上保持部３７Ｕに保持させるには、下保持部３７Ｌにまでバネ部材３８を運搬し、板バネ部１０７を押圧して基部１０５との隙間を縮めた状態にして、本体部１０６の下端部１０６Ｌを下凹部３９Ｌに圧入する。この結果、下端部１０６Ｌが下凹部３９Ｌで押圧保持される。しかも、板バネ部１０７が下凹部３９Ｌの内壁を凹部外方へ付勢して凹部幅を広げる方向に力を加えているので、この押圧力が更に高められている。
【００５５】
更に、他の構成部材を組み込んだ後、上ケース１４を被せる際に、上凹部３９Ｕに本体部１０６の上端部１０６Ｕを圧入する。この結果、バネ部材３８の上端部１０６Ｕが上凹部３９Ｕで押圧保持される。
【００５６】
本実施形態では、このようにバネ部材３８が下保持部３７Ｌ及び上保持部３７Ｕによってバネ部材厚み方向に押圧保持されているので、上ケース１４や下ケース１６に微小な変形が生じたり、下凹部３９Ｌや上凹部３９Ｕのクリアランス（幅寸法）にばらつきが生じたりしても、バネ部材３８をケース１２に装着した際にバネ部材３８の姿勢（特に傾き）がばらつかずに安定する。従って、バネ部材３８の作用部１０８Ｌ、１０８Ｕがリーダーピン３０に及ぼすバネ圧が安定し一定となる。このことは、下凹部３９Ｌや上凹部３９Ｕに要求されるクリアランス精度や位置精度を大きく緩和することができる。
【００５７】
しかも、バネ部材３８がバネ部材厚み方向に押圧保持される力は、バネ部材３８を下凹部３９Ｌ及び上凹部３９Ｕに圧入したことによるだけでなく、板バネ部１０７が凹部内壁を凹部外方へ付勢することによっても生じている。従って、この押圧保持される力が大きい。
【００５８】
なお、板バネ部１０７の折り曲げ角度を調整することやバネ部材３８を構成する平板材の厚みを調整することにより、板バネ部１０７が凹部内壁を付勢する力を調整することができる。
【００５９】
また、本体部１０６には、バネ部材３８の一部が基部１０５側に折り曲げられてなる板バネ部１０７が形成され、バネ部材３８の下端部１０６Ｌ、すなわち板バネ部１０７と基部１０５との両下端部が下凹部３９Ｌに圧入されている。そして、バネ部材３８の上端部１０６Ｕ、すなわち板バネ部１０７と基部１０５との両上端部が上凹部３９Ｕに圧入されている。ここで、板バネ部１０７と基部１０５とのこの両上端部は、バネ部材３８の一部を基部１０５側に折り曲げることで形成された部分である。従って、バネ部材３８の圧入される部分を容易に形成することができる。
【００６０】
更に、作用部１０８Ｌ、１０８Ｕとは別の部位に板バネ部１０７を形成してこの圧入を行っている。従って、板バネ部１０７を形成しても作用部１０８Ｌ、１０８Ｕの付勢力に影響が生じない。
【００６１】
また、図５に示すように、本体部１０６の厚みについては、折り曲げ片の基端側Ｐの厚みＷＰのほうが折り曲げ片の先端側Ｑの厚みＷＱよりも薄い。従って、下凹部３９Ｌや上凹部３９Ｕの内壁への押圧力は、折り曲げ片の先端側Ｑのほうで強く、折り曲げ片の基端側Ｐのほうで弱いという分布をなす。これにより、下凹部３９Ｌに圧入される下端部１０６Ｌや上凹部３９Ｕに圧入される上端部１０６Ｕが均一な厚みである場合に比べ、下凹部３９Ｌや上凹部３９Ｕの許容幅寸法の範囲を広くすることができる。
【００６２】
なお、本実施形態では、本体部１０６の板バネ部１０７は、作用部１０８Ｌ、１０８Ｕとは反対側の平板材部分を作用部側（基部１０５側）へ折り曲げたものとして形成されているが、本発明はこれに限られず、例えば図６に示すように、作用部１０８Ｌ、１０８Ｕ側の平板材部分１１４を作用部１０８Ｌ、１０８Ｕとは反対側へ折り曲げてなる板バネ部１１７を形成したバネ部材１１８としてもよい。
【００６３】
［第２実施形態］
次に、第２実施形態について説明する。本実施形態の記録テープカートリッジには、第１実施形態に比べ、図７に示すバネ部材１３８がバネ部材３８に代えて設けられている。
【００６４】
バネ部材１３８は、平板状の本体部１３６と、本体部１３６に連続し下凹部３９Ｌの内壁を押圧する下凸部１４０Ｌと、下凸部１４０Ｌに連続して延び出し、リーダーピン３０を付勢して引出抵抗を付与する作用部１４８Ｌと、本体部１３６に連続し上凹部３９Ｕの内壁を押圧する上凸部１４０Ｕと、上凸部１４０Ｕに連続して延び出し、リーダーピン３０を付勢して引出抵抗を付与する作用部１４８Ｕと、で構成されている。図７に示すように、下凸部１４０Ｌ及び上凸部１４０Ｕは本体部１３６の同一側縁部１３６Ｅに連続しており、作用部１４８Ｌ、１４８Ｕは本体部１３６から同じ方向に延び出している。
【００６５】
本実施形態では、下凸部１４０Ｌが下凹部３９Ｌに圧入されていることにより下凹部３９Ｌが下凸部１４０Ｌをバネ部材厚み方向に押圧しており、上凸部１４０Ｕが上凹部３９Ｕに圧入されていることにより上凹部３９Ｕが上凸部１４０Ｕをバネ部材厚み方向に押圧している。これにより、上ケース１４や下ケース１６に微小な変形が生じたり、下凹部３９Ｌや上凹部３９Ｕのクリアランス（幅寸法）にばらつきが生じたりしても、バネ部材１３８をケース１２に装着した際にバネ部材１３８の姿勢（特に傾き）がばらつかずに安定する。従って、バネ部材１３８の作用部１４８Ｌ、１４８Ｕがリーダーピン３０に及ぼすバネ圧が安定し一定となる。
【００６６】
また、本実施形態では、下凸部１４０Ｌ、上凸部１４０Ｕは、何れも作用部を形成するための細板片部をプレス加工等することにより形成されている。従って、作用部１４８Ｌ、１４８Ｕを形成する際に、下凸部１４０Ｌ及び上凸部１４０Ｕも併せて形成することができる。
【００６７】
なお、下凹部３９Ｌの内壁に、下凸部１４０Ｌの位置決めをする溝が形成されていてもよく、同様に、上凹部３９Ｕの内壁に、上凸部１４０Ｕの位置決めをする溝が形成されていてもよい。これにより、作用部１４８Ｌ、１４８Ｕの長手方向位置も正確に位置決めすることができる。
【００６８】
［第３実施形態］
次に、第３実施形態について説明する。本実施形態の記録テープカートリッジには、第１実施形態に比べ、図８に示すバネ部材１５８がバネ部材３８に代えて設けられている。
【００６９】
バネ部材１５８は、平板状の本体部１５６と、本体部１５６から延び出してリーダーピン３０に押圧力を付与する作用部１６８Ｌ、１６８Ｕと、で構成されている。本体部１５６の下端部１５６Ｌ及び上端部１５６Ｕには、それぞれ、下凹部３９Ｌの内壁を押圧する下凸部１６０Ｌ及び上凹部３９Ｕの内壁を押圧する上凸部１６０Ｕが、本体部１５６に一体的に形成されている。
【００７０】
本実施形態では、下凸部１６０Ｌが下凹部３９Ｌに圧入されていることにより下凹部３９Ｌが下凸部１６０Ｌをバネ部材厚み方向に押圧しており、上凸部１６０Ｕが上凹部３９Ｕに圧入されていることにより上凹部３９Ｕが上凸部１６０Ｕをバネ部材厚み方向に押圧している。すなわち、下凹部３９Ｌ及び上凹部３９Ｕによってバネ部材１５８が厚み方向に押圧保持されている。
【００７１】
これにより、上ケース１４や下ケース１６に微小な変形が生じたり、下凹部３９Ｌや上凹部３９Ｕのクリアランス（幅寸法）にばらつきが生じたりしても、バネ部材１５８をケース１２に装着した際にバネ部材１５８の姿勢（特に傾き）がばらつかずに安定する。従って、バネ部材１５８の作用部１６８Ｌ、１６８Ｕがリーダーピン３０に及ぼすバネ圧が安定し一定となる。
【００７２】
また、本実施形態では、本体部１５６を製造する際に、下凸部１６０Ｌ及び上凸部１６０Ｕも併せて形成することができ、製造作業の簡略化、製造時間の短縮化を図ることができる。
【００７３】
なお、上凸部１６０Ｕ及び下凸部１６０Ｌを本体部１５６に形成することに代えて、下凹部３９Ｌ及び上凹部３９Ｕにそれぞれ凸部をケースと一体的に形成してもよい。
【００７４】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【図面の簡単な説明】
【００７５】
【図１】第１実施形態に係る記録テープカートリッジの概略斜視図
【図２】第１実施形態に係る記録テープカートリッジを上方から見た場合の概略分解斜視図
【図３】第１実施形態に係る記録テープカートリッジを下方から見た場合の概略分解斜視図
【図４】第１実施形態に係る記録テープカートリッジを構成する板バネの概略斜視図
【図５】第１実施形態で、板バネを下ケースの保持部に押圧保持させたことを示す概略斜視図
【図６】図６（Ａ）から（Ｃ）は、それぞれ、第１実施形態で、板バネの変形例を製造する工程を示す概略斜視図
【図７】第２実施形態に係る記録テープカートリッジを構成する板バネの概略斜視図
【図８】第３実施形態に係る記録テープカートリッジを構成する板バネの概略斜視図
【符号の説明】
【００７６】
１０      記録テープカートリッジ
１２      ケース
２０      リール
３０      リーダーピン（リーダー部材）
３４      バネ部材
３７Ｕ    上保持部（保持部）
３７Ｌ    下保持部（保持部）
３９Ｕ    上凹部（凹部）
３９Ｌ    下凹部（凹部）
１０６    本体部
１０７    板バネ部
１０８Ｌ  作用部
１０８Ｕ  作用部
１１７    板バネ部
１１８    バネ部材
１３８    バネ部材
１３６    本体部
１４０Ｕ  上凸部（凸部）
１４０Ｌ  下凸部（凸部）
１４８Ｕ  作用部
１４８Ｌ  作用部
１５８    バネ部材
１５６    本体部
１６０Ｕ  上凸部（凸部）
１６０Ｌ  下凸部（凸部）
１６８Ｕ  作用部
１６８Ｌ  作用部
Ｔ        記録テープ
【図１】
2009245524.tif 000003
【図２】
2009245524.tif 000004
【図３】
2009245524.tif 000005
【図４】
2009245524.tif 000006
【図５】
2009245524.tif 000007
【図６】
2009245524.tif 000008
【図７】
2009245524.tif 000009
【図８】
2009245524.tif 000010